(57)【要約】      （修正有）【課題】機構の簡素化及び耐久性の向上を図った上で動作の信頼性を確保する。【解決手段】固定された状態で配置されたベース部材２５と、ケーブルの一部が連結されベース部材に対してケーブルの巻取方向及びその反対方向である引出方向へ回転可能とされた巻取リール２１と、巻取リールに支持され巻取リールと一体になってベース部材に対して回転されるレバー２９と、巻取リールを巻取方向へ付勢する付勢部材３０と、ベース部材に対向して配置され巻取リールの回転軸と同軸上に位置する支点軸を支点としてベース部材に対して回転可能とされケーブルの巻取制御を行う制御部を有する回転部材３３と、回転部材の回転軌跡上に位置された制御リブ１３とを設け、制御リブに対する制御部の位置に応じてケーブルの巻取制御が行われるようにした。【選択図】図２
2013100177.tif 000002
【特許請求の範囲】
【請求項１】
固定された状態で配置されたベース部材と、
ケーブルの一部が連結され前記ベース部材に対して前記ケーブルの巻取方向及びその反対方向である引出方向へ回転可能とされた巻取リールと、
前記巻取リールに支持され前記巻取リールと一体になって前記ベース部材に対して回転されるレバーと、
前記巻取リールを前記巻取方向へ付勢する付勢部材と、
前記ベース部材に対向して配置され前記巻取リールの回転軸と同軸上に位置する支点軸を支点として前記ベース部材に対して回転可能とされ前記ケーブルの巻取制御を行う制御部を有する回転部材と、
前記回転部材の回転軌跡上に位置された制御リブとを備え、
前記制御リブに対する前記制御部の位置に応じて前記ケーブルの巻取制御が行われるようにした
ケーブル巻取装置。
【請求項２】
前記制御リブを挟んだ周方向における反対側の領域がそれぞれ第１の領域と第２の領域として形成され、
前記ケーブルが引き出されて前記巻取リールが前記引出方向へ回転されたときに前記回転部材が回転されて前記制御部が前記第１の領域から前記第２の領域に移動され、
前記制御部が前記第１の領域から前記第２の領域に移動された状態において前記回転部材が前記付勢部材の付勢力によって前記巻取方向へ回転されたときに前記制御部が前記第２の領域から前記第１の領域に移動されるようにした
請求項１に記載のケーブル巻取装置。
【請求項３】
前記ベース部材に回転規制部が設けられ、
前記レバーに被ストップ部が設けられ、
前記回転部材が前記巻取方向へ回転されて前記制御部が前記第２の領域から前記第１の領域に移動されたときに前記被ストップ部が前記回転規制部に係合されて前記巻取リールの巻取方向への回転が規制されるようにした
請求項２に記載のケーブル巻取装置。
【請求項４】
前記制御部が前記第１の領域に位置されている状態において前記巻取リールが前記付勢部材の付勢力によって前記巻取方向へ回転されて前記ケーブルが巻き取られるようにした
請求項２に記載のケーブル巻取装置。
【請求項５】
前記回転部材に被規制部が設けられ、
前記第１の領域と前記第２の領域の間に前記被規制部に係合可能とされ前記被規制部が係合されたときに前記回転部材の回転を規制する規制リブが設けられ、
前記ケーブルの巻取時に前記回転部材が回転されたときに前記被規制部が前記規制リブに係合されて前記制御部が前記第１の領域に保持されるようにした
請求項４に記載のケーブル巻取装置。
【請求項６】
前記規制リブが前記回転部材の半径方向に延びる形状に形成され、
前記規制リブが前記回転部材の最内周から最外周までの範囲に位置された
請求項５に記載のケーブル巻取装置。
【請求項７】
前記制御リブと前記規制リブが前記回転軸を挟んで反対側に位置された
請求項５に記載のケーブル巻取装置。
【請求項８】
前記レバーに摺動部が設けられ、
前記回転部材の外周面が前記レバーの摺動部に摺動自在に係合される作用面として形成され、
前記作用面に前記支点軸からの半径方向における距離が前記回転部材における最外周より小さい係合部が設けられ、
前記レバーの摺動部が前記係合部に係合されて前記被ストップ部が前記回転規制部に係合されるようにした
請求項３に記載のケーブル巻取装置。
【請求項９】
前記レバーが前記巻取リールに回動自在に支持され、
前記摺動部が前記作用面に押し付けられる方向へ前記レバーを付勢する付勢バネを設けた
請求項８に記載のケーブル巻取装置。
【請求項１０】
前記回転部材に前記制御部を有し前記制御リブに離接する方向へ弾性変形可能とされた変位部が設けられ、
前記回転部材が回転されたときに前記変位部が弾性変形されることにより前記制御部が前記制御リブに摺動されて前記制御リブを挟んだ両側において移動されるようにした
請求項１に記載のケーブル巻取装置。
【請求項１１】
前記回転部材に前記制御部を有し前記制御リブに離接する方向へ弾性変形可能とされた変位部が設けられ、
前記回転部材が回転されたときに前記変位部が弾性変形されることにより前記制御部が前記制御リブに摺動されて前記制御リブを挟んだ両側において移動され、
前記ベース部材と前記回転部材の間に前記レバーの一部が配置され、
前記制御部が前記第１の領域に位置され前記レバーが前記ベース部材と前記回転部材の変位部との間に位置されているときに、前記レバーによって前記変位部の弾性変形が規制されて前記制御部が前記第１の領域に保持されるようにした
請求項４に記載のケーブル巻取装置。
【請求項１２】
前記回転部材に、前記摺動部に係合され前記回転部材と前記レバーの一体での前記引出方向への回転を許容する引出側回転許容部が設けられ、
前記ベース部材に前記摺動部の前記引出側回転許容部との係合を解除又は回避して前記レバーの前記回転部材に対する前記引出方向への回転を許容する引出用カム部が設けられた
請求項２に記載のケーブル巻取装置。
【請求項１３】
前記回転部材に、前記摺動部に係合され前記回転部材と前記レバーの一体での前記巻取方向への回転を許容する巻取側回転許容部が設けられ、
前記ベース部材に前記摺動部の前記巻取側回転許容部との係合を解除又は回避して前記レバーの前記回転部材に対する前記巻取方向への回転を許容する巻取用カム部が設けられた
請求項２に記載のケーブル巻取装置。
【請求項１４】
前記ケーブルの少なくとも一部を覆うカバーケースが設けられ、
前記カバーケースに前記制御リブが一体に形成された
請求項１に記載のケーブル巻取装置。
【請求項１５】
前記ケーブルの少なくとも一部を覆うカバーケースが設けられ、
前記カバーケースに前記規制リブが一体に形成された
請求項５に記載のケーブル巻取装置。
【請求項１６】
前記制御リブと前記規制リブが前記カバーケースを補強する補強リブとして設けられた
請求項１５に記載のケーブル巻取装置。
【請求項１７】
前記巻取リールに同軸上に位置する第１の巻取筒部と第２の巻取筒部が設けられ、
前記第１の巻取筒部と前記第２の巻取筒部に前記ケーブルの異なる部分がそれぞれ巻付可能とされた
請求項１に記載のケーブル巻取装置。
【請求項１８】
前記ケーブルの異なる部分が同時に巻取可能及び引出可能とされた
請求項１７に記載のケーブル巻取装置。
【発明の詳細な説明】
【技術分野】
【０００１】
本技術はケーブル巻取装置についての技術分野に関する。詳しくは、回転部材の回転軌跡上に位置された制御リブに対する回転部材の制御部の位置に応じてケーブルの巻取制御が行われるようにして機構の簡素化及び耐久性の向上を図った上で動作の信頼性を確保する技術分野に関する。
【背景技術】
【０００２】
筐体の内部において巻取リールが回転自在に配置され、巻取リールに対するケーブルの巻取及び引出を行うことが可能なケーブル巻取装置がある（例えば、特許文献１参照）。
【０００３】
特許文献１に記載されたケーブル巻取装置にあっては、筐体の内部に巻取リールが回転自在に配置され、巻取リールに設けられたカムと筐体（ロアケース）に設けられ周方向に延び放射方向に離隔した偏心する複数のカム（リブ）とを有している。
【０００４】
ロアケースにはレバーが回動自在に支持され、レバーが各カムに摺動自在に係合することにより巻取モードやストップモード等の複数の各モードが設定されるように構成されている。
【０００５】
【特許文献１】特開２００３−１１２８５７号公報
【発明の開示】
【発明が解決しようとする課題】
【０００６】
ところが、特許文献１に記載されたケーブル巻取装置にあっては、周方向に延び巻取リールの回転中心に対して偏心する複数のカムが設けられており、また、設けられているカムの数が多いため、機構の簡素化に支障を来たす構成にされている。
【０００７】
また、上記のようなケーブル巻取装置にあっては、ケーブルの巻取、引出、巻取停止が繰り返し行われるため、これらの動作が行われるときの動作の信頼性を確保する必要がある。
【０００８】
一方、このようなケーブル巻取装置には、各動作が行われるときにベアリングとして機能する球体（鉄球）が凹溝に案内されて移動される構成にされたものもあるが、このような球体を用いるケーブル巻取装置においては、動作の繰り返しによる球体の摩耗等によって耐久性の低下を来たすおそれがある。
【０００９】
そこで、本技術ケーブル巻取装置は、上記した問題点を克服し、機構の簡素化及び耐久性の向上を図った上で動作の信頼性を確保することを課題とする。
【課題を解決するための手段】
【００１０】
第１に、ケーブル巻取装置は、上記した課題を解決するために、固定された状態で配置されたベース部材と、ケーブルの一部が連結され前記ベース部材に対して前記ケーブルの巻取方向及びその反対方向である引出方向へ回転可能とされた巻取リールと、前記巻取リールに支持され前記巻取リールと一体になって前記ベース部材に対して回転されるレバーと、前記巻取リールを前記巻取方向へ付勢する付勢部材と、前記ベース部材に対向して配置され前記巻取リールの回転軸と同軸上に位置する支点軸を支点として前記ベース部材に対して回転可能とされ前記ケーブルの巻取制御を行う制御部を有する回転部材と、前記回転部材の回転軌跡上に位置された制御リブとを備え、前記制御リブに対する前記制御部の位置に応じて前記ケーブルの巻取制御が行われるようにしたものである。
【００１１】
従って、ケーブル巻取装置にあっては、巻取リールの回転軸と同軸上に位置する支点軸を支点として回転部材が回転されて制御リブに対して制御部の位置が変化されることによりケーブルの巻取制御が行われる。
【００１２】
第２に、上記したケーブル巻取装置においては、前記制御リブを挟んだ周方向における反対側の領域がそれぞれ第１の領域と第２の領域として形成され、前記ケーブルが引き出されて前記巻取リールが前記引出方向へ回転されたときに前記回転部材が回転されて前記制御部が前記第１の領域から前記第２の領域に移動され、前記制御部が前記第１の領域から前記第２の領域に移動された状態において前記回転部材が前記付勢部材の付勢力によって前記巻取方向へ回転されたときに前記制御部が前記第２の領域から前記第１の領域に移動されるようにすることが望ましい。
【００１３】
巻取リールが引出方向へ回転されたときに制御部が第１の領域から第２の領域に移動され、回転部材が巻取方向へ回転されたときに制御部が第２の領域から第１の領域に移動されるようにすることにより、ケーブルに対する動作に応じて制御部の位置が変化される。
【００１４】
第３に、上記したケーブル巻取装置においては、前記ベース部材に回転規制部が設けられ、前記レバーに被ストップ部が設けられ、前記回転部材が前記巻取方向へ回転されて前記制御部が前記第２の領域から前記第１の領域に移動されたときに前記被ストップ部が前記回転規制部に係合されて前記巻取リールの巻取方向への回転が規制されるようにすることが望ましい。
【００１５】
回転部材が巻取方向へ回転されて制御部が第２の領域から第１の領域に移動されたときに被ストップ部が回転規制部に係合されて巻取リールの巻取方向への回転が規制されるようにすることにより、制御部の移動により巻取リールの回転が規制される。
【００１６】
第４に、上記したケーブル巻取装置においては、前記制御部が前記第１の領域に位置されている状態において前記巻取リールが前記付勢部材の付勢力によって前記巻取方向へ回転されて前記ケーブルが巻き取られるようにすることが望ましい。
【００１７】
制御部が第１の領域に位置されている状態において巻取リールが付勢部材の付勢力によって巻取方向へ回転されてケーブルが巻き取られるようにすることにより、制御部の位置に応じてケーブルの巻取が行われる。
【００１８】
第５に、上記したケーブル巻取装置においては、前記回転部材に被規制部が設けられ、前記第１の領域と前記第２の領域の間に前記被規制部に係合可能とされ前記被規制部が係合されたときに前記回転部材の回転を規制する規制リブが設けられ、前記ケーブルの巻取時に前記回転部材が回転されたときに前記被規制部が前記規制リブに係合されて前記制御部が前記第１の領域に保持されるようにすることが望ましい。
【００１９】
ケーブルの巻取時に回転部材が回転されたときに被規制部が規制リブに係合されて制御部が第１の領域に保持されるようにすることにより、被規制部が規制リブに接して回転部材の回転が規制される。
【００２０】
第６に、上記したケーブル巻取装置においては、前記規制リブが前記回転部材の半径方向に延びる形状に形成され、前記規制リブが前記回転部材の最内周から最外周までの範囲に位置されることが望ましい。
【００２１】
規制リブが回転部材の半径方向に延びる形状に形成され、規制リブが回転部材の最内周から最外周までの範囲に位置されることにより、回転部材の回転時に被規制部が規制リブに係合される。
【００２２】
第７に、上記したケーブル巻取装置においては、前記制御リブと前記規制リブが前記回転軸を挟んで反対側に位置されることが望ましい。
【００２３】
制御リブと規制リブが回転軸を挟んで反対側に位置されることにより、第１の領域と第２の領域の大きさが同じにされる。
【００２４】
第８に、上記したケーブル巻取装置においては、前記レバーに摺動部が設けられ、前記回転部材の外周面が前記レバーの摺動部に摺動自在に係合される作用面として形成され、前記作用面に前記支点軸からの半径方向における距離が前記回転部材における最外周より小さい係合部が設けられ、前記レバーの摺動部が前記係合部に係合されて前記被ストップ部が前記回転規制部に係合されるようにすることが望ましい。
【００２５】
作用面に支点軸からの半径方向における距離が回転部材における最外周より小さい係合部が設けられ、レバーの摺動部が係合部に係合されて被ストップ部が回転規制部に係合されるようにすることにより、摺動部が係合部に係合されたときにレバーの回転が規制される。
【００２６】
第９に、上記したケーブル巻取装置においては、前記レバーが前記巻取リールに回動自在に支持され、前記摺動部が前記作用面に押し付けられる方向へ前記レバーを付勢する付勢バネを設けることが望ましい。
【００２７】
レバーが巻取リールに回動自在に支持され、摺動部が作用面に押し付けられる方向へレバーを付勢する付勢バネを設けることにより、回転部材の回転時に摺動部が作用面に摺動される。
【００２８】
第１０に、上記したケーブル巻取装置においては、前記回転部材に前記制御部を有し前記制御リブに離接する方向へ弾性変形可能とされた変位部が設けられ、前記回転部材が回転されたときに前記変位部が弾性変形されることにより前記制御部が前記制御リブに摺動されて前記制御リブを挟んだ両側において移動されるようにすることが望ましい。
【００２９】
回転部材が回転されたときに変位部が弾性変形されることにより制御部が制御リブに摺動されて制御リブを挟んだ両側において移動されるようにすることにより、変位部が弾性変形されて第１の領域と第２の領域の間での制御部の移動が行われる。
【００３０】
第１１に、上記したケーブル巻取装置においては、前記回転部材に前記制御部を有し前記制御リブに離接する方向へ弾性変形可能とされた変位部が設けられ、前記回転部材が回転されたときに前記変位部が弾性変形されることにより前記制御部が前記制御リブに摺動されて前記制御リブを挟んだ両側において移動され、前記ベース部材と前記回転部材の間に前記レバーの一部が配置され、前記制御部が前記第１の領域に位置され前記レバーが前記ベース部材と前記回転部材の変位部との間に位置されているときに、前記レバーによって前記変位部の弾性変形が規制されて前記制御部が前記第１の領域に保持されるようにすることが望ましい。
【００３１】
制御部が第１の領域に位置されレバーがベース部材と回転部材の変位部との間に位置されているときに、レバーによって変位部の弾性変形が規制されて制御部が第１の領域に保持されるようにすることにより、変位部の弾性変形を規制する専用の部材が不要になる。
【００３２】
第１２に、上記したケーブル巻取装置においては、前記回転部材に、前記摺動部に係合され前記回転部材と前記レバーの一体での前記引出方向への回転を許容する引出側回転許容部が設けられ、前記ベース部材に前記摺動部の前記引出側回転許容部との係合を解除又は回避して前記レバーの前記回転部材に対する前記引出方向への回転を許容する引出用カム部が設けられることが望ましい。
【００３３】
ベース部材に摺動部の引出側回転許容部との係合を解除又は回避してレバーの回転部材に対する引出方向への回転を許容する引出用カム部が設けられることにより、引出用カム部によって摺動部の引出側回転許容部との係合が解除又は回避される。
【００３４】
第１３に、上記したケーブル巻取装置においては、前記回転部材に、前記摺動部に係合され前記回転部材と前記レバーの一体での前記巻取方向への回転を許容する巻取側回転許容部が設けられ、前記ベース部材に前記摺動部の前記巻取側回転許容部との係合を解除又は回避して前記レバーの前記回転部材に対する前記巻取方向への回転を許容する巻取用カム部が設けられることが望ましい。
【００３５】
ベース部材に摺動部の巻取側回転許容部との係合を解除又は回避してレバーの回転部材に対する巻取方向への回転を許容する巻取用カム部が設けられることにより、巻取用カム部によって摺動部の巻取側回転許容部との係合が解除又は回避される。
【００３６】
第１４に、上記したケーブル巻取装置においては、前記ケーブルの少なくとも一部を覆うカバーケースが設けられ、前記カバーケースに前記制御リブが一体に形成されることが望ましい。
【００３７】
ケーブルの少なくとも一部を覆うカバーケースが設けられ、カバーケースに制御リブが一体に形成されることにより、カバーケースに一体に形成された制御リブによって制御部の位置が制御される。
【００３８】
第１５に、上記したケーブル巻取装置においては、前記ケーブルの少なくとも一部を覆うカバーケースが設けられ、前記カバーケースに前記規制リブが一体に形成されることが望ましい。
【００３９】
ケーブルの少なくとも一部を覆うカバーケースが設けられ、カバーケースに規制リブが一体に形成されることにより、カバーケースに一体に形成された規制リブによって回転部材の回転が規制される。
【００４０】
第１６に、上記したケーブル巻取装置においては、前記制御リブと前記規制リブが前記カバーケースを補強する補強リブとして設けられることが望ましい。
【００４１】
制御リブと規制リブがカバーケースを補強する補強リブとして設けられることにより、カバーケースが規制リブ及び制御リブによって補強される。
【００４２】
第１７に、上記したケーブル巻取装置においては、前記巻取リールに同軸上に位置する第１の巻取筒部と第２の巻取筒部が設けられ、前記第１の巻取筒部と前記第２の巻取筒部に前記ケーブルの異なる部分がそれぞれ巻付可能とされることが望ましい。
【００４３】
巻取リールに同軸上に位置する第１の巻取筒部と第２の巻取筒部が設けられ、第１の巻取筒部と第２の巻取筒部にケーブルの異なる部分がそれぞれ巻付可能とされることにより、ケーブルの巻取径が小さくなる。
【００４４】
第１８に、上記したケーブル巻取装置においては、前記ケーブルの異なる部分が同時に巻取可能及び引出可能とされることが望ましい。
【００４５】
ケーブルの異なる部分が同時に巻取可能及び引出可能とされることにより、ケーブルの異なる部分の巻取又は引出が同時に行われる。
【発明の効果】
【００４６】
本技術ケーブル巻取装置は、固定された状態で配置されたベース部材と、ケーブルの一部が連結され前記ベース部材に対して前記ケーブルの巻取方向及びその反対方向である引出方向へ回転可能とされた巻取リールと、前記巻取リールに支持され前記巻取リールと一体になって前記ベース部材に対して回転されるレバーと、前記巻取リールを前記巻取方向へ付勢する付勢部材と、前記ベース部材に対向して配置され前記巻取リールの回転軸と同軸上に位置する支点軸を支点として前記ベース部材に対して回転可能とされ前記ケーブルの巻取制御を行う制御部を有する回転部材と、前記回転部材の回転軌跡上に位置された制御リブとを備え、前記制御リブに対する前記制御部の位置に応じて前記ケーブルの巻取制御が行われるようにしている。
【００４７】
従って、ベアリングとして機能する球体を用いず制御部の位置を制御することによりケーブルの巻取制御が行われるため、機構の簡素化及び耐久性の向上を図った上で動作の信頼性を確保することができる。
【００４８】
請求項２に記載した技術にあっては、前記制御リブを挟んだ周方向における反対側の領域がそれぞれ第１の領域と第２の領域として形成され、前記ケーブルが引き出されて前記巻取リールが前記引出方向へ回転されたときに前記回転部材が回転されて前記制御部が前記第１の領域から前記第２の領域に移動され、前記制御部が前記第１の領域から前記第２の領域に移動された状態において前記回転部材が前記付勢部材の付勢力によって前記巻取方向へ回転されたときに前記制御部が前記第２の領域から前記第１の領域に移動されるようにしている。
【００４９】
従って、ケーブルに対する動作に応じて制御部の位置が確実に変化され、ケーブルに対する動作時における信頼性の向上を図ることができる。
【００５０】
請求項３に記載した技術にあっては、前記ベース部材に回転規制部が設けられ、前記レバーに被ストップ部が設けられ、前記回転部材が前記巻取方向へ回転されて前記制御部が前記第２の領域から前記第１の領域に移動されたときに前記被ストップ部が前記回転規制部に係合されて前記巻取リールの巻取方向への回転が規制されるようにしている。
【００５１】
従って、回転部材の制御部の移動により巻取リールの回転が確実に規制されるため、ケーブルの引出が終了されたときの動作の信頼性の向上を図ることができる。
【００５２】
請求項４に記載した技術にあっては、前記制御部が前記第１の領域に位置されている状態において前記巻取リールが前記付勢部材の付勢力によって前記巻取方向へ回転されて前記ケーブルが巻き取られるようにしている。
【００５３】
従って、回転部材の制御部の位置に応じてケーブルの巻取が確実に行われ、ケーブルの巻取時における動作の信頼性の向上を図ることができる。
【００５４】
請求項５に記載した技術にあっては、前記回転部材に被規制部が設けられ、前記第１の領域と前記第２の領域の間に前記被規制部に係合可能とされ前記被規制部が係合されたときに前記回転部材の回転を規制する規制リブが設けられ、前記ケーブルの巻取時に前記回転部材が回転されたときに前記被規制部が前記規制リブに係合されて前記制御部が前記第１の領域に保持されるようにしている。
【００５５】
従って、回転部材の制御部が第１の領域から第２の領域に移動されず第１の領域に保持されるため、ケーブルの巻取を確実に行うことができる。
【００５６】
請求項６に記載した技術にあっては、前記規制リブが前記回転部材の半径方向に延びる形状に形成され、前記規制リブが前記回転部材の最内周から最外周までの範囲に位置されている。
【００５７】
従って、被規制部が確実に規制リブに係合され、ケーブルの巻取動作の信頼性の向上を図ることができる。
【００５８】
請求項７に記載した技術にあっては、前記制御リブと前記規制リブが前記回転軸を挟んで反対側に位置されている。
【００５９】
従って、各動作の設定が容易であり、ケーブルに対する動作制御を確実かつ容易に行うことができる。
【００６０】
請求項８に記載した技術にあっては、前記レバーに摺動部が設けられ、前記回転部材の外周面が前記レバーの摺動部に摺動自在に係合される作用面として形成され、前記作用面に前記支点軸からの半径方向における距離が前記回転部材における最外周より小さい係合部が設けられ、前記レバーの摺動部が前記係合部に係合されて前記被ストップ部が前記回転規制部に係合されるようにしている。
【００６１】
従って、レバーの被ストップ部がベース部材の回転規制部と確実に係合され、ケーブルの引出が終了したときの動作の設定を簡単かつ確実に行うことができる。
【００６２】
請求項９に記載した技術にあっては、前記レバーが前記巻取リールに回動自在に支持され、前記摺動部が前記作用面に押し付けられる方向へ前記レバーを付勢する付勢バネを設けている。
【００６３】
従って、レバーの摺動部が確実に作用面に摺動され、各動作の信頼性の向上を図ることができる。
【００６４】
請求項１０に記載した技術にあっては、前記回転部材に前記制御部を有し前記制御リブに離接する方向へ弾性変形可能とされた変位部が設けられ、前記回転部材が回転されたときに前記変位部が弾性変形されることにより前記制御部が前記制御リブに摺動されて前記制御リブを挟んだ両側において移動されるようにしている。
【００６５】
従って、回転部材の制御部の移動が変位部の弾性変形という簡単な動作により行われ、機構の簡素化を図った上で動作の信頼性の向上を図ることができる。
【００６６】
請求項１１に記載した技術にあっては、前記回転部材に前記制御部を有し前記制御リブに離接する方向へ弾性変形可能とされた変位部が設けられ、前記回転部材が回転されたときに前記変位部が弾性変形されることにより前記制御部が前記制御リブに摺動されて前記制御リブを挟んだ両側において移動され、前記ベース部材と前記回転部材の間に前記レバーの一部が配置され、前記制御部が前記第１の領域に位置され前記レバーが前記ベース部材と前記回転部材の変位部との間に位置されているときに、前記レバーによって前記変位部の弾性変形が規制されて前記制御部が前記第１の領域に保持されるようにしている。
【００６７】
従って、回転部材の変位部の弾性変形を規制する専用の部材を必要とせず、部品点数の削減を図った上で簡素な機構によりケーブルに対する各動作を行うことができる。
【００６８】
請求項１２に記載した技術にあっては、前記回転部材に、前記摺動部に係合され前記回転部材と前記レバーの一体での前記引出方向への回転を許容する引出側回転許容部が設けられ、前記ベース部材に前記摺動部の前記引出側回転許容部との係合を解除又は回避して前記レバーの前記回転部材に対する前記引出方向への回転を許容する引出用カム部が設けられている。
【００６９】
従って、ケーブルの引出動作を簡素な構造により確実に行うことができる。
【００７０】
請求項１３に記載した技術にあっては、前記回転部材に、前記摺動部に係合され前記回転部材と前記レバーの一体での前記巻取方向への回転を許容する巻取側回転許容部が設けられ、前記ベース部材に前記摺動部の前記巻取側回転許容部との係合を解除又は回避して前記レバーの前記回転部材に対する前記巻取方向への回転を許容する巻取用カム部が設けられている。
【００７１】
従って、ケーブルの巻取動作を簡素な構造により確実に行うことができる。
【００７２】
請求項１４に記載した技術にあっては、前記ケーブルの少なくとも一部を覆うカバーケースが設けられ、前記カバーケースに前記制御リブが一体に形成されている。
【００７３】
従って、部品点数が削減され、ケーブル巻取装置の製造コストの低減を図ることができる。
【００７４】
請求項１５に記載した技術にあっては、前記ケーブルの少なくとも一部を覆うカバーケースが設けられ、前記カバーケースに前記規制リブが一体に形成されている。
【００７５】
従って、部品点数が削減され、ケーブル巻取装置の製造コストの低減を図ることができる。
【００７６】
請求項１６に記載した技術にあっては、前記制御リブと前記規制リブが前記カバーケースを補強する補強リブとして設けられている。
【００７７】
従って、カバーケースが規制リブ及び制御リブによっても補強され、天面部の剛性を高めることができる。
【００７８】
請求項１７に記載した技術にあっては、前記巻取リールに同軸上に位置する第１の巻取筒部と第２の巻取筒部が設けられ、前記第１の巻取筒部と前記第２の巻取筒部に前記ケーブルの異なる部分がそれぞれ巻付可能とされている。
【００７９】
従って、ケーブルの巻取径が小さくなりケーブル巻取装置の半径方向における小型化を図ることができる。
【００８０】
請求項１８に記載した技術にあっては、前記ケーブルの異なる部分が同時に巻取可能及び引出可能とされている。
【００８１】
従って、ケーブルの巻取及び引出を迅速に行うことができ、ケーブル巻取装置の使い勝手の向上を図ることができる。
【発明を実施するための最良の形態】
【００８２】
以下に、本技術ケーブル巻取装置を実施するための最良の形態を添付図面に従って説明する。
【００８３】
以下に示した最良の形態は、本技術ケーブル巻取装置を、二つの電子機器の間で接続されてデーターの通信等を行うケーブルを取り扱うケーブル巻取装置に適用したものである。
【００８４】
但し、本技術の適用範囲は二つの電子機器の間で接続されてデーターの通信等を行うケーブルを取り扱うケーブル巻取装置に限られることはない。本技術ケーブル巻取装置は、電力の供給を行うための電源ケーブル、画像や音声を伝送するための伝送ケーブル等の各種のケーブルを取り扱う各種のケーブル巻取装置に広く適用することができる。
【００８５】
尚、以下に示すケーブル巻取装置において、ケーブルの巻取及び引出が行われるときの巻取リールの回転軸の軸方向を上下方向として方向を示すものとする。
【００８６】
但し、以下に示す方向は説明の便宜上のものであり、本技術の実施に関しては、これらの方向に限定されることはない。
【００８７】
［ケーブル巻取装置の構成］
先ず、ケーブル巻取装置の構成について説明する（図１乃至図９参照）。
【００８８】
ケーブル巻取装置１は筐体２を有し、筐体２はケース体３とケース体３に回動自在（開閉自在）に支持された蓋体４とを有している（図１及び図２参照）。
【００８９】
ケース体３はカバーケース５とボトムケース６が上下で結合されて成る。
【００９０】
カバーケース５は各部が一体に形成されて成り、天面部７と天面部７の外周縁の一部を除いた部分から下方へ突出された周面部８とを有している（図２及び図３参照）。
【００９１】
天面部７の外周縁は、周面部８に連続する部分が外方へ凸の曲線状に形成され、周面部８に連続しない部分が直線状に形成されている。
【００９２】
周面部８の周方向における一端部には支持部８ａが設けられている。周面部８には周方向における他端部に引出用切欠８ｂが形成されている。
【００９３】
天面部７の下面には下方へ突出されたリブ体９が一体に設けられている。リブ体９は円筒状に形成された中央突部１０と中央突部１０の外周面からそれぞれ放射方向へ突出された規制リブ１１、第１の補強リブ１２、制御リブ１３及び第２の補強リブ１４とを有している。規制リブ１１、第１の補強リブ１２、制御リブ１３及び第２の補強リブ１４は順に周方向において等間隔に離隔して位置されている。
【００９４】
規制リブ１１は中央突部１０からの突出方向における長さが第１の補強リブ１２、制御リブ１３及び第２の補強リブ１４の中央突部１０からの突出方向における長さより長くされている。
【００９５】
第１の補強リブ１２には下方及び中央突部１０からの突出方向に開口された通過用切欠１２ａが形成されている。
【００９６】
規制リブ１１及び制御リブ１３は第１の補強リブ１２及び第２の補強リブ１４とともにカバーケース５の天面部７の剛性を高める補強用のリブとしても設けられている。
【００９７】
従って、カバーケース５の天面部７が第１の補強リブ１２及び第２の補強リブ１４の他に規制リブ１１及び制御リブ１３によっても補強され、天面部７の剛性を高めることができる。
【００９８】
また、カバーケース５に規制リブ１１が一体に形成されているため、部品点数が削減され、ケーブル巻取装置１の製造コストの低減を図ることができる。
【００９９】
さらに、カバーケース５に制御リブ１３が一体に形成されているため、部品点数が一層削減され、ケーブル巻取装置１の一層の製造コストの低減を図ることができる。
【０１００】
ボトムケース６は、図２に示すように、カバーケース５の天面部７と同じ形状に形成されたベース面部１５とベース面部１５の外周部における一部を除いた部分に設けられた結合突部１６とベース面部１５の略中央部から上方へ突出された支持軸部１７とから成る。
【０１０１】
結合突部１６は上方に小さく突出され、結合突部１６の周方向における一端部には支持部１６ａが設けられている。
【０１０２】
支持軸部１７の下側の略半部は外周面の断面形状が略円形状の回転支持部１７ａとして設けられ、支持軸部１７の上側の略半部は外周面の断面形状が、例えば、略六角形状の固定支持部１７ｂとして設けられている。
【０１０３】
ボトムケース６は結合突部１６が周面部８の下端部に突き合わされてカバーケース５に結合される。カバーケース５とボトムケース６が結合されてケース体３が構成された状態において、ケース体３に内外を連通する引出口３ａが形成される。
【０１０４】
蓋体４は曲面状の周壁部１８と周壁部１８の上下両縁から水平方向における同じ方向へ突出された側壁部１９、１９とから成る（図１及び図２参照）。周壁部１８の一端部には引出用切欠１８ａが形成されている。
【０１０５】
蓋体４はヒンジ部材２０を介してケース体３に回動自在に支持されている。ヒンジ部材２０は一端部がケース体３の支持部８ａ、１６ａに回動自在に支持され他端部が蓋体４の他端部に回動自在に支持され、ケース体３と蓋体４を連結している。
【０１０６】
蓋体４はケース体３に対してヒンジ部材２０を介して回動されることにより、ケース体３の引出口３ａを開閉する。蓋体４によって引出口３ａが閉塞された状態においては、ケース体３の引出用切欠８ｂと蓋体４の引出用切欠１８ａとによって筐体２に挿通口２ａが形成される。
【０１０７】
ケーブル巻取装置１にあっては、蓋体４によって引出口３ａが開放された状態において引出口３ａを介して後述するケーブルの巻取及び引出が可能とされ、また、蓋体４によって引出口３ａが閉塞され挿通口２ａが形成された状態において挿通口２ａを介してケーブルの巻取及び引出が可能とされている。
【０１０８】
ケース体３の内部には巻取リール２１が配置され、巻取リール２１はボトムケース６における支持軸部１７の回転支持部１７ａに回転自在に支持される。従って、支持軸部１７の中心軸が巻取リール２１の回転軸２１ａとされる。
【０１０９】
巻取リール２１は、図２及び図４に示すように、上下方向を向く略円板状のリールベース２２とリールベース２２の半径方向における略中央部から上方へ突出された第１の巻取筒部２３とリールベース２２の半径方向における略中央部から下方へ突出された第２の巻取筒部２４とを有している。
【０１１０】
リールベース２２の中心部には軸挿通孔２２ａが形成されている。
【０１１１】
第１の巻取筒部２３は略円筒状に形成され、上下に延びる連通スリット２３ａを有している。第１の巻取筒部２３の内部の空間は機構配置部２３ｂとして形成されている。
【０１１２】
機構配置部２３ｂにはそれぞれリールベース２２から上方へ突出された固定用軸２２ｂ、固定用突壁２２ｃ、レバー支持軸２２ｄ及びネジ止めボス２２ｅが設けられている。リールベース２２には機構配置部２３ｂにおける第１の巻取筒部２３の直ぐ内側に第２の巻取筒部２４の内部に連通する円弧状の連通孔２２ｆが形成されている。固定用軸２２ｂは略円柱状に形成され、固定用突壁２２ｃは周方向に延びる略円弧状に形成され、レバー支持軸２２ｄは略円柱状に形成されている。
【０１１３】
第２の巻取筒部２４は略円筒状に形成され、上下に延びリールベース２２に形成された連通孔２２ｆに連通された連通スリット２４ａを有している。
【０１１４】
第２の巻取筒部２４の内部には図示しない付勢部材が配置されている。付勢部材は、例えば、渦巻きバネであり、付勢部材によって巻取リール２１がケーブル１００の巻取方向、例えば、平面で見て時計回り方向へ付勢される。
【０１１５】
巻取リール２１にはケーブル１００が巻き付けられる（図５参照）。ケーブル１００としては、例えば、ＨＤＭＩ（High-Definition Multimedia Interface）ケーブルが用いられており、ＨＤＭＩケーブルは、一般に、ヘッドホーン用のケーブル等に比し厚みが厚く重量が大きくされている。ケーブル１００は、例えば、両端部にそれぞれ接続コネクター１０１、１０１が設けられている。ケーブル１００は、中間部１００ａが固定用軸２２ｂに巻き付けられた状態で固定用突壁２２ｃと第１の巻取筒部２３の間に圧入されて固定されている。ケーブル１００は中間部１００ａを基準として一方の側の部分が連通スリット２３ａを挿通されて第１の巻取筒部２３に巻付可能とされ、中間部１００ａを基準として他方の側の部分が連通孔２２ｆ及び連通スリット２４ａを挿通されて第２の巻取筒部２４に巻付可能とされている。
【０１１６】
このようにケーブル巻取装置１にあっては、巻取リール２１に同軸上に位置する第１の巻取筒部２３と第２の巻取筒部２４にケーブル１００の異なる部分がそれぞれ巻き付けられるため、ケーブル１００の巻取径が小さくなりケーブル巻取装置１の半径方向における小型化を図ることができる。
【０１１７】
巻取リール２１の軸挿通孔２２ａには下方からボトムケース６の支持軸部１７が挿通される。巻取リール２１の軸挿通孔２２ａに支持軸部１７が挿通された状態において、固定支持部１７ｂにベース部材２５が周方向において固定された状態で取り付けられる（図２参照）。
【０１１８】
ベース部材２５は円板状の基部２６と基部２６の半径方向における略中央部から上方へ突出された筒状部２７と筒状部２７の下端部に外方へ張り出されて設けられた摺動カム部２８とから成る（図２及び図６参照）。
【０１１９】
筒状部２７の内側の孔は六角形状の嵌合孔２７ａとして形成されている。
【０１２０】
摺動カム部２８の外周面は、円弧状の非作用部２８ａと、非作用部２８ａの一端に連続し外方へ凸の曲面状に形成された巻取用カム部２８ｂと、巻取用カム部２８ｂの一端に連続し巻取用カム部２８ｂから離隔するに従って外方へ変位するように傾斜された引出用カム部２８ｃと、引出用カム部２８ｃの一端と非作用部２８ａの他端とを結ぶ回転規制部２８ｄとから成る。
【０１２１】
ベース部材２５は固定支持部１７ｂに嵌合孔２７ａが嵌合されることにより支持軸部１７に固定される。
【０１２２】
巻取リール２１のリールベース２２に設けられたレバー支持軸２２ｄには一方向に長く形成されたレバー２９が回動自在に支持される（図２参照）。レバー２９には長手方向における一端部に側方へ突出された被ストップ部２９ａと上方へ突出された摺動部２９ｂとが設けられ、長手方向における他端部に上下に貫通された回転支持孔２９ｃが形成されている。
【０１２３】
レバー２９は回転支持孔２９ｃにレバー支持軸２２ｄが挿入されることにより、レバー支持軸２２ｄを支点として回動可能とされる。レバー２９がレバー支持軸２２ｄに支持された状態においては、レバー２９の一部がベース部材２５の上側に位置される。
【０１２４】
レバー２９は付勢バネ３０によって長手方向における一端部が支持軸部１７に近付く方向へ付勢される。付勢バネ３０は、例えば、捩じりコイルバネでありレバー支持軸２２ｄに支持されている。
【０１２５】
巻取リール２１のリールベース２２に設けられたネジ止めボス２２ｅには押さえ部材３１の一端部が取付ネジ３２によって取り付けられ、押さえ部材３１の他端部がレバー２９の上方からレバー支持軸２２ｄに組み付けられて押さえ部材３１によってレバー支持軸２２ｄからのレバー２９の脱落が防止される。
【０１２６】
ベース部材２５の筒状部２７には回転部材３３が回転自在に支持される（図２参照）。従って、回転部材３３の回転支点である支点軸３３ａは巻取リール２１の回転軸２１ａと同軸とされる。
【０１２７】
回転部材３３は略円環状に形成され、環状部３４と環状部３４に対して弾性変形可能な変位部３５とを有している（図７参照）。
【０１２８】
環状部３４は筒状部２７が挿入される被支持孔３４ａを有し、環状部３４にはそれぞれ外方（半径方向）へ突出された第１の突部３６と第２の突部３７が周方向に離隔して設けられている。
【０１２９】
第１の突部３６は第２の突部３７より周方向に長く形成され、周方向における一端面が巻取側回転許容部３６ａとして形成され、周方向における他端面が引出側回転許容部３６ｂとして形成されている。
【０１３０】
第２の突部３７の周方向における一端面は第１の係合面３７ａとして形成されている。第２の突部３７の外側の端部には上方へ突出された被規制部３７ｂが設けられている。
【０１３１】
環状部３４には他の部分より半径方向における幅が細くされた細幅部３４ｂが第２の突部３７の近傍に設けられ、細幅部３４ｂは回転部材３３における内周側に位置されている。
【０１３２】
変位部３５は周方向に延びる状態で細幅部３４ｂの外側に位置され、ヒンジ部３９を介して環状部３４に連続されている。変位部３５の先端部には外方（半径方向）へ突出された第３の突部４０が設けられている。第３の突部４０の周方向における一端面は第２の係合面４０ａとして形成されている。
【０１３３】
変位部３５の先端部には上方へ突出された制御部３５ａが設けられ、制御部３５ａは周方向において二つの傾斜面を有する山型に形成されている。
【０１３４】
回転部材３３の外周面はレバー２９の摺動部２９ｂが摺動される作用面３８として形成されている。作用面３８の巻取側回転許容部３６ａの内端に連続する端部は第１の係合部３８ａとして形成され、作用面３８の第２の係合面４０ａの内端に連続する端部は第２の係合部３８ｂとして形成されている。第１の係合部３８ａは第２の係合部３８ｂより回転部材３３の半径方向において内側に位置されている。
【０１３５】
回転部材３３がベース部材２５の筒状部２７に回転自在に支持された状態においては、レバー２９の一部がベース部材２５と回転部材３３の間に位置され（図８及び図９参照）、レバー２９は付勢バネ３０の付勢力によって摺動部２９ｂが回転部材３３の作用面３８に押し付けられる。
【０１３６】
カバーケース５に設けられた規制リブ１１、第１の補強リブ１２、制御リブ１３及び第２の補強リブ１４は下面が回転部材３３の上面に近接して位置され、回転部材３３の回転軌跡上に位置される。規制リブ１１、第１の補強リブ１２、制御リブ１３及び第２の補強リブ１４が回転部材３３に近接して位置された状態において、回転部材３３の回転軌跡における規制リブ１１と制御リブ１３を結ぶ線を挟んだ反対側の領域がそれぞれ第１の領域Ａと第２の領域Ｂとされる（図８参照）。第１の領域Ａは第１の補強リブ１２が位置する側の領域であり、第２の領域Ｂは第２の補強リブ１４が位置する側の領域である。
【０１３７】
［ケーブル巻取装置の動作］
次に、ケーブル巻取装置１のケーブル１００に対する各動作（動作モード）について説明する（図１０乃至図２７参照）。尚、以下に示す各動作については、ケーブル１００の巻取方向を平面で見て時計回り方向であるＲ１方向として示し、ケーブル１００の引出方向を平面で見て反時計回り方向であるＲ２方向として示す。
【０１３８】
以下に示す各動作モードは回転部材３３の変位部３５に設けられた制御部３５ａの位置に応じて設定が行われる。動作モードとしては、ストップモード、引出モード及び巻取モードが設定され、ストップモードにおいては制御部３５ａが第２の領域Ｂから第１の領域Ａに移動され、引出モードにおいては制御部３５ａが第１の領域Ａから第２の領域Ｂに移動され、巻取モードにおいては制御部３５ａが第１の領域Ａに位置される。
【０１３９】
ケーブル巻取装置１にあっては、規制リブ１１と制御リブ１３が巻取リール２１の回転軸２１ａを挟んで１８０°反対側に位置されており、第１の領域Ａと第２の領域Ｂの大きさが同じにされている。
【０１４０】
従って、各動作モードの設定が容易であり、ケーブル１００に対する動作制御を確実かつ容易に行うことができる。
【０１４１】
但し、規制リブ１１と制御リブ１３の位置を上記した位置からシフトさせて第１の領域Ａと第２の領域Ｂの大きさを異なるように形成することも可能である。
【０１４２】
＜ストップモード＞
先ず、ストップモードについて説明する（図１０参照）。ストップモードはケーブル１００の巻取が規制されているモードである。
【０１４３】
ストップモードにおいては、回転部材３３の変位部３５に設けられた制御部３５ａが第１の領域Ａにおける第１の補強リブ１２と制御リブ１３の間に位置されている。
【０１４４】
巻取リール２１はレバー２９とともに付勢部材（渦巻きバネ）によってＲ１方向へ付勢されており、レバー２９は付勢バネ３０によって摺動部２９ｂが回転部材３３の作用面３８に押し付けられる方向（内方）へ付勢されている。レバー２９は摺動部２９ｂが回転部材３３における第１の突部３６の巻取側回転許容部３６ａ及び作用面３８の第１の係合部３８ａに係合され、被ストップ部２９ａがベース部材２５の回転規制部２８ｄに係合されている。
【０１４５】
従って、巻取リール２１とレバー２９のＲ１方向への回転が規制され、ケーブル１００の巻取が規制されている。
【０１４６】
＜引出モード＞
次に、引出モードについて説明する（図１１乃至図１８参照）。引出モードはケーブル１００が筐体２の内部から引き出されているモードである。
【０１４７】
引出モードにおいては、ケーブル１００が引き出されるに従って巻取リール２１とレバー２９がＲ２方向へ回転されていく（図１１参照）。このときケーブル１００は中間部１００ａを挟んだ反対側の二つの部分が同時に引出可能であるため、ケーブル１００の引出を迅速に行うことができ、ケーブル巻取装置１の使い勝手の向上を図ることができる。
【０１４８】
巻取リール２１とレバー２９がＲ２方向へ回転されると、摺動部２９ｂが第２の突部３７の第１の係合面３７ａに係合される。
【０１４９】
さらにケーブル１００が引き出されると、摺動部２９ｂが第１の係合面３７ａに係合されているため、レバー２９の回転に伴って回転部材３３がＲ２方向へ回転されていく（図１２参照）。このときレバー２９は一部が回転部材３３の変位部３５の下側に位置されているため、変位部３５は弾性変形不能な状態とされている。回転部材３３は制御部３５ａが制御リブ１３に接してＲ２方向への回転が規制される。
【０１５０】
ケーブル１００はさらに引き出され巻取リール２１とレバー２９がＲ２方向へさらに回転されていく（図１３参照）。レバー２９は摺動部２９ｂが第２の突部３７から第３の突部４０に乗り上げる。
【０１５１】
さらにケーブル１００が引き出されると、巻取リール２１とレバー２９がさらにＲ２方向へ回転されていき、レバー２９は摺動部２９ｂが第１の突部３６の引出側回転許容部３６ｂに係合される（図１４参照）。
【０１５２】
引き続きケーブル１００が引き出されていくと、レバー２９の被ストップ部２９ａがベース部材２５の摺動カム部２８に形成された引出用カム部２８ｃに摺動され、レバー２９が付勢バネ３０の付勢力に反して外方へ回動されていく（図１５参照）。このときレバー２９が変位部３５の下方に位置されていないため、レバー２９の回転に伴って回転部材３３がＲ２方向へ回転され、変位部３５が弾性変形されて制御部３５ａが制御リブ１３の下縁に摺動されて第２の領域Ｂに位置される。
【０１５３】
ケーブル１００がさらに引き出されていくと被ストップ部２９ａの引出用カム部２８ｃとの摺動により、レバー２９が外方へ回動されて摺動部２９ｂの引出側回転許容部３６ｂに対する係合が解除され摺動部２９ｂが第１の突部３６に乗り上げる（図１６参照）。摺動部２９ｂが第１の突部３６に乗り上げると、回転部材３３のレバー２９の回転に伴う回転が停止される。このとき回転部材３３の第２の突部３７に設けられた被規制部３７ｂが制御リブ１３の外側に位置される。
【０１５４】
上記のようにケーブル巻取装置１にあっては、ベース部材２５にレバー２９の摺動部２９ｂの引出側回転許容部３６ｂとの係合を解除又は回避してレバー２９の回転部材３３に対する引出方向への回転を許容する引出用カム部２８ｃが設けられている。
【０１５５】
従って、ケーブル１００の引出動作を簡素な構造により確実に行うことができる。
【０１５６】
引き続きケーブル１００が引き出されると、巻取リール２１とレバー２９がさらにＲ２方向へ回転されていき、レバー２９は摺動部２９ｂが第１の突部３６の外周面に摺動される（図１７参照）。
【０１５７】
ケーブル１００がさらに引き出されると、巻取リール２１とレバー２９がさらにＲ２方向へ回転されていく（図１８参照）。
【０１５８】
以後は、ケーブル１００の引出に伴って巻取リール２１とレバー２９がＲ２方向へ回転されていく。
【０１５９】
＜引出後のストップモード＞
次に、ケーブル１００が引き出されたときのストップモードについて説明する（図１８乃至図２１参照）。引出後のストップモードはケーブル１００が所定の長さ引き出された状態においてケーブル１００の巻取が規制されるモードである。
【０１６０】
引出後のストップモードにおいては、当初は、回転部材３３の変位部３５に設けられた制御部３５ａが第２の領域Ｂにおける制御リブ１３と第２の補強リブ１４の間に位置されている（図１８参照）。
【０１６１】
ケーブル１００の引出が終了されると、巻取リール２１とレバー２９は付勢部材の付勢力によってＲ１方向へ回転され、レバー２９は摺動部２９ｂが回転部材３３における第１の突部３６の巻取側回転許容部３６ａ及び作用面３８の第１の係合部３８ａに係合される（図１９参照）。
【０１６２】
レバー２９の摺動部２９ｂが巻取側回転許容部３６ａに係合されると、巻取リール２１とレバー２９のＲ１方向への回転に伴って回転部材３３がＲ１方向へ回転されていく（図２０参照）。
【０１６３】
さらに巻取リール２１とレバー２９のＲ１方向への回転に伴って回転部材３３がＲ１方向へ回転されていく（図２１参照）。このときレバー２９が変位部３５の下方に位置されていないため、変位部３５が弾性変形されて制御部３５ａが制御リブ１３の下縁に摺動されて第１の領域Ａに移動される。
【０１６４】
レバー２９は被ストップ部２９ａがベース部材２５の回転規制部２８ｄに係合されて巻取リール２１とレバー２９のＲ１方向への回転が規制され、ケーブル１００が所定の長さ引き出された状態においてケーブル１００の巻取が規制される。
【０１６５】
このようにケーブル巻取装置１にあっては、回転部材３３の外周面がレバー２９の摺動部２９ｂに摺動される作用面３８として形成され、支点軸３３ａからの半径方向における距離が回転部材３３における最外周より小さい第１の係合部３８ａに摺動部２９ｂが係合されて被ストップ部２９ａが回転規制部２８ｄに係合される。
【０１６６】
従って、レバー２９の被ストップ部２９ａがベース部材２５の回転規制部２８ｄと確実に係合され、ストップモードの設定を簡単かつ確実に行うことができる。
【０１６７】
＜巻取モード＞
次に、ケーブル１００が巻き取られる巻取モードについて説明する（図２２乃至図２７参照）。巻取モードはケーブル１００が巻取リール２１に巻き取られるモードである。
【０１６８】
巻取モードにおいては、回転部材３３の変位部３５に設けられた制御部３５ａが第１の領域Ａに位置されている。
【０１６９】
ケーブル１００の巻取を行う場合には、ストップモードの状態から一旦ケーブル１００を所定の長さ引き出して巻取リール２１とレバー２９をＲ２方向へ回転させる（図２２参照）。ケーブル１００の引出はレバー２９の摺動部２９ｂが第３の突部４０よりＲ２方向側の位置まで移動される状態まで行う。この巻取リール２１とレバー２９の回転時には、摺動部２９ｂが第２の突部３７の第１の係合面３７ａに係合されてレバー２９の回転に伴って回転部材３３がＲ２方向へ回転され制御部３５ａが制御リブ１３に接して回転部材３３のＲ２方向への回転が規制され、続いて、摺動部２９ｂが第２の突部３７から第３の突部４０に乗り上げて第３の突部４０よりＲ２方向側の位置まで移動される。
【０１７０】
続いて、ケーブル１００の引出を停止すると、付勢部材の付勢力によって巻取リール２１とレバー２９がＲ１方向へ回転されていきケーブル１００の巻取リール２１の巻取が行われていく。このときレバー２９は摺動部２９ｂが回転部材３３における第３の突部４０の第２の係合面４０ａ及び作用面３８の第２の係合部３８ｂに係合される（図２３参照）。
【０１７１】
ケーブル１００は中間部１００ａを挟んだ反対側の二つの部分が同時に巻取可能であるため、ケーブル１００の巻取を迅速に行うことができ、ケーブル巻取装置１の使い勝手の向上を図ることができる。
【０１７２】
引き続き巻取リール２１とレバー２９はＲ１方向へ回転され、このときレバー２９の摺動部２９ｂが第２の係合面４０ａに係合されているため、巻取リール２１とレバー２９のＲ１方向への回転に伴って回転部材３３がＲ１方向へ回転されていく（図２４参照）。回転部材３３がＲ１方向へ回転されるときには、制御部３５ａが第１の補強リブ１２の通過用切欠１２ａを通過して規制リブ１１側へ移動され、回転部材３３は第２の突部３７に設けられた被規制部３７ｂが規制リブ１１に接してＲ１方向への回転が規制される。
【０１７３】
このようにケーブル巻取装置１にあっては、回転部材３３の被規制部３７ｂが規制リブ１１に接してＲ１方向への回転が規制される。
【０１７４】
従って、回転部材３３の制御部３５ａが第１の領域Ａから第２の領域Ｂに移動されず第１の領域Ａに保持されるため、制御部３５ａが第１の領域Ａに保持される巻取モードが解除されることがなく、ケーブル１００の巻取を確実に行うことができる。
【０１７５】
また、規制リブ１１が回転部材３３の最内周から最外周までの範囲に位置されているため、被規制部３７ｂが確実に規制リブ１１に係合され、ケーブル１００の巻取動作の信頼性の向上を図ることができる。
【０１７６】
引き続き巻取リール２１とレバー２９がＲ１方向へ回転されてケーブル１００が巻き取られていくと、レバー２９は摺動部２９ｂが第３の突部４０から第２の突部３７に乗り上げ、レバー２９が付勢バネ３０の付勢力に反して外方へ回動される（図２５参照）。レバー２９が外方へ回動されるため、被ストップ部２９ａはベース部材２５の回転規制部２８ｄの外側を通過していく。
【０１７７】
巻取リール２１とレバー２９はさらにＲ１方向へ回転され、レバー２９は被ストップ部２９ａがベース部材２５の引出用カム部２８ｃから巻取用カム部２８ｂに順に摺動されていく（図２６参照）。
【０１７８】
レバー２９は被ストップ部２９ａが巻取用カム部２８ｂに摺動されるため、付勢バネ３０の付勢力に反して外方へ回動され、摺動部２９ｂが回転部材３３の巻取側回転許容部３６ａに接することなくＲ１方向へ巻取リール２１とともに回転されていく（図２７参照）。
【０１７９】
このようにケーブル巻取装置１にあっては、ベース部材２５にレバー２９の摺動部２９ｂの巻取側回転許容部３６ａとの係合を解除又は回避してレバー２９の回転部材３３に対する巻取方向への回転を許容する巻取用カム部２８ｂが設けられている。
【０１８０】
従って、ケーブル１００の巻取動作を簡素な構造により確実に行うことができる。
【０１８１】
以後は、付勢部材の付勢力によって巻取リール２１とレバー２９がＲ１方向へ回転されていき、ケーブル１００の巻取が行われていく。
【０１８２】
［まとめ］
以上に記載した通り、ケーブル巻取装置１にあっては、回転部材３３の回転軌跡上に位置された制御リブ１３に対する回転部材３３の制御部３５ａの位置に応じてケーブル１００の巻取制御が行われる。
【０１８３】
従って、ベアリングとして機能する球体を用いず制御部３５ａの位置を制御することによりケーブル１００の巻取制御が行われるため、機構の簡素化及び耐久性の向上を図った上で動作の信頼性を確保することができる。
【０１８４】
また、回転部材３３の制御部３５ａがケーブル１００の引出時に第１の領域Ａから第２の領域Ｂに移動され引出後の停止時に第２の領域Ｂから第１の領域Ａに移動されるため、ケーブル１００に対する動作に応じて制御部３５ａの位置が確実に変化され、引出モード及びストップモードにおける動作の信頼性の向上を図ることができる。
【０１８５】
さらに、回転部材３３が付勢部材の付勢力によって巻取方向へ回転されて制御部３５ａが第２の領域Ｂから第１の領域Ａに移動されたときに被ストップ部２９ａがベース部材２５の回転規制部２８ｄに係合されて巻取リール２１の巻取方向への回転が規制される。
【０１８６】
従って、回転部材３５の制御部３５ａの移動により巻取リール２１の回転が確実に規制されるため、ストップモードにおける動作の信頼性の向上を図ることができる。
【０１８７】
さらにまた、回転部材３３の制御部３５ａが第１の領域Ａに位置されている状態において、巻取リール２１が付勢部材の付勢力によって巻取方向へ回転されてケーブル１００が巻き取られるようにされている。
【０１８８】
従って、回転部材３３の制御部３５ａの位置に応じてケーブル１００の巻取が確実に行われ、巻取モードにおける動作の信頼性の向上を図ることができる。
【０１８９】
また、レバー２９が巻取リール２１に回動自在に支持され、摺動部２９ｂが回転部材３３の作用面３８に押し付けられる方向へレバー２９を付勢する付勢バネ３０を設けている。
【０１９０】
従って、レバー２９の摺動部２９ｂが確実に作用面３８に摺動され、各モードにおける動作の信頼性の向上を図ることができる。
【０１９１】
さらに、回転部材３３に弾性変形可能とされた変位部３５が設けられ、回転部材３３が回転されたときに変位部３５が弾性変形されることにより制御部３５ａが制御リブ１３を挟んだ両側において移動されるようにしている。
【０１９２】
従って、回転部材３３の制御部３５ａの移動が変位部３５の弾性変形という簡単な動作により行われ、機構の簡素化を図った上で動作の信頼性の向上を図ることができる。
【０１９３】
加えて、ベース部材２５と回転部材３３の間にレバー２９の一部が配置され、レバー２９がベース部材２５と回転部材３３の変位部３５との間に位置されることにより変位部３５の弾性変形が規制されるようにしている。
【０１９４】
従って、回転部材３３の変位部の弾性変形を規制する専用の部材を必要とせず、部品点数の削減を図った上で簡素な機構によりケーブル１００に対する各動作を行うことができる。
【０１９５】
尚、上記には、ケーブル１００として厚みが厚く重量が大きいＨＤＭＩケーブルを用いた例を示したが、ＫＫ１における構造は、厚みが厚く重量が大きいＨＤＭＩケーブル等のような引出時に必要な力が大きなケーブルを取り扱うタイプに特に有効である。
【０１９６】
［本技術］
本技術は、以下のような構成とすることができる。
【０１９７】
（１）固定された状態で配置されたベース部材と、ケーブルの一部が連結され前記ベース部材に対して前記ケーブルの巻取方向及びその反対方向である引出方向へ回転可能とされた巻取リールと、前記巻取リールに支持され前記巻取リールと一体になって前記ベース部材に対して回転されるレバーと、前記巻取リールを前記巻取方向へ付勢する付勢部材と、前記ベース部材に対向して配置され前記巻取リールの回転軸と同軸上に位置する支点軸を支点として前記ベース部材に対して回転可能とされ前記ケーブルの巻取制御を行う制御部を有する回転部材と、前記回転部材の回転軌跡上に位置された制御リブとを備え、前記制御リブに対する前記制御部の位置に応じて前記ケーブルの巻取制御が行われるようにしたケーブル巻取装置。
【０１９８】
（２）前記制御リブを挟んだ周方向における反対側の領域がそれぞれ第１の領域と第２の領域として形成され、前記ケーブルが引き出されて前記巻取リールが前記引出方向へ回転されたときに前記回転部材が回転されて前記制御部が前記第１の領域から前記第２の領域に移動され、前記制御部が前記第１の領域から前記第２の領域に移動された状態において前記回転部材が前記付勢部材の付勢力によって前記巻取方向へ回転されたときに前記制御部が前記第２の領域から前記第１の領域に移動されるようにした前記（１）に記載のケーブル巻取装置。
【０１９９】
（３）前記ベース部材に回転規制部が設けられ、前記レバーに被ストップ部が設けられ、前記回転部材が前記巻取方向へ回転されて前記制御部が前記第２の領域から前記第１の領域に移動されたときに前記被ストップ部が前記回転規制部に係合されて前記巻取リールの巻取方向への回転が規制されるようにした前記（２）に記載のケーブル巻取装置。
【０２００】
（４）前記制御部が前記第１の領域に位置されている状態において前記巻取リールが前記付勢部材の付勢力によって前記巻取方向へ回転されて前記ケーブルが巻き取られるようにした前記（２）又は前記（３）に記載のケーブル巻取装置。
【０２０１】
（５）前記回転部材に被規制部が設けられ、前記第１の領域と前記第２の領域の間に前記被規制部に係合可能とされ前記被規制部が係合されたときに前記回転部材の回転を規制する規制リブが設けられ、前記ケーブルの巻取時に前記回転部材が回転されたときに前記被規制部が前記規制リブに係合されて前記制御部が前記第１の領域に保持されるようにした前記（４）に記載のケーブル巻取装置。
【０２０２】
（６）前記規制リブが前記回転部材の半径方向に延びる形状に形成され、前記規制リブが前記回転部材の最内周から最外周までの範囲に位置された前記（５）に記載のケーブル巻取装置。
【０２０３】
（７）前記制御リブと前記規制リブが前記回転軸を挟んで反対側に位置された前記（５）又は前記（６）に記載のケーブル巻取装置。
【０２０４】
（８）前記レバーに摺動部が設けられ、前記回転部材の外周面が前記レバーの摺動部に摺動自在に係合される作用面として形成され、前記作用面に前記支点軸からの半径方向における距離が前記回転部材における最外周より小さい係合部が設けられ、前記レバーの摺動部が前記係合部に係合されて前記被ストップ部が前記回転規制部に係合されるようにした前記（３）から前記（７）の何れかに記載のケーブル巻取装置。
【０２０５】
（９）前記レバーが前記巻取リールに回動自在に支持され、前記摺動部が前記作用面に押し付けられる方向へ前記レバーを付勢する付勢バネを設けた前記（８）に記載のケーブル巻取装置。
【０２０６】
（１０）前記回転部材に前記制御部を有し前記制御リブに離接する方向へ弾性変形可能とされた変位部が設けられ、前記回転部材が回転されたときに前記変位部が弾性変形されることにより前記制御部が前記制御リブに摺動されて前記制御リブを挟んだ両側において移動されるようにした前記（１）から前記（９）の何れかに記載のケーブル巻取装置。
【０２０７】
（１１）前記回転部材に前記制御部を有し前記制御リブに離接する方向へ弾性変形可能とされた変位部が設けられ、前記回転部材が回転されたときに前記変位部が弾性変形されることにより前記制御部が前記制御リブに摺動されて前記制御リブを挟んだ両側において移動され、前記ベース部材と前記回転部材の間に前記レバーの一部が配置され、前記制御部が前記第１の領域に位置され前記レバーが前記ベース部材と前記回転部材の変位部との間に位置されているときに、前記レバーによって前記変位部の弾性変形が規制されて前記制御部が前記第１の領域に保持されるようにした前記（４）から前記（１０）の何れかに記載のケーブル巻取装置。
【０２０８】
（１２）前記回転部材に、前記摺動部に係合され前記回転部材と前記レバーの一体での前記引出方向への回転を許容する引出側回転許容部が設けられ、前記ベース部材に前記摺動部の前記引出側回転許容部との係合を解除又は回避して前記レバーの前記回転部材に対する前記引出方向への回転を許容する引出用カム部が設けられた前記（２）から前記（１１）の何れかに記載のケーブル巻取装置。
【０２０９】
（１３）前記回転部材に、前記摺動部に係合され前記回転部材と前記レバーの一体での前記巻取方向への回転を許容する巻取側回転許容部が設けられ、前記ベース部材に前記摺動部の前記巻取側回転許容部との係合を解除又は回避して前記レバーの前記回転部材に対する前記巻取方向への回転を許容する巻取用カム部が設けられた前記（２）から前記（１２）の何れかに記載のケーブル巻取装置。
【０２１０】
（１４）前記ケーブルの少なくとも一部を覆うカバーケースが設けられ、前記カバーケースに前記制御リブが一体に形成された前記（１）から前記（１３）の何れかに記載のケーブル巻取装置。
【０２１１】
（１５）前記ケーブルの少なくとも一部を覆うカバーケースが設けられ、前記カバーケースに前記規制リブが一体に形成された前記（５）から前記（１４）の何れかに記載のケーブル巻取装置。
【０２１２】
（１６）前記制御リブと前記規制リブが前記カバーケースを補強する補強リブとして設けられた前記（１５）に記載のケーブル巻取装置。
【０２１３】
（１７）前記巻取リールに同軸上に位置する第１の巻取筒部と第２の巻取筒部が設けられ、前記第１の巻取筒部と前記第２の巻取筒部に前記ケーブルの異なる部分がそれぞれ巻付可能とされた前記（１）から前記（１６）の何れかに記載のケーブル巻取装置。
【０２１４】
（１８）前記ケーブルの異なる部分が同時に巻取可能及び引出可能とされた前記（１７）に記載のケーブル巻取装置。
【０２１５】
上記した技術の最良の形態において示した各部の具体的な形状及び構造は、何れも本技術を実施する際の具体化のほんの一例を示したものにすぎず、これらによって本技術の技術的範囲が限定的に解釈されることがあってはならないものである。
【図面の簡単な説明】
【０２１６】
【図１】図２乃至図２７と共に本技術ケーブル巻取装置を示すものであり、本図は、斜視図である。
【図２】分解斜視図である。
【図３】カバーケースの拡大斜視図である。
【図４】巻取リールの拡大斜視図である。
【図５】ケーブルが取り付けられた状態で示す巻取リールの拡大斜視図である。
【図６】ベース部材の拡大平面図である。
【図７】回転部材の拡大斜視図である。
【図８】ベース部材、レバー、回転部材及び各リブを示す拡大斜視図である。
【図９】ベース部材、レバー、回転部材及び各リブを示す概略拡大側面図である。
【図１０】図１１乃至図２７と共にケーブル巻取装置の動作を示すものであり、本図は、ケーブルの巻取が規制されている状態を示す拡大平面図である。
【図１１】ケーブルの引出が開始された直後の状態を示す拡大平面図である。
【図１２】図１１に引き続きケーブルが引き出され、巻取リールとレバーの回転に伴って回転部材が回転された状態を示す拡大平面図である。
【図１３】図１２に引き続きケーブルが引き出され、巻取リールとレバーがさらに回転されている状態を示す拡大平面図である。
【図１４】図１３に引き続きケーブルが引き出され、巻取リールとレバーがさらに回転されてレバーの摺動部が回転部材の引出側回転許容部に係合された状態を示す拡大平面図である。
【図１５】図１４に引き続きケーブルが引き出され、巻取リールとレバーの回転に伴って回転部材が回転されている状態を示す拡大平面図である。
【図１６】図１５に引き続きケーブルが引き出され、巻取リールとレバーが回転されてレバーの摺動部の回転部材の引出側回転許容部に対する係合が解除された状態を示す拡大平面図である。
【図１７】図１６に引き続きケーブルが引き出され、巻取リールとレバーが回転されている状態を示す拡大平面図である。
【図１８】図１７に引き続きケーブルの引出が終了し、巻取リールとレバーの回転が停止された状態を示す拡大平面図である。
【図１９】図１８に引き続きケーブルの引出が終了した後に、巻取リールとレバーが図１８とは反対方向へ回転されてレバーの摺動部が回転部材の巻取側回転許容部に係合された状態を示す拡大平面図である。
【図２０】図１９に引き続き巻取リールとレバーの回転に伴って回転部材が回転されている状態を示す拡大平面図である。
【図２１】図２０に引き続き巻取リールとレバーの回転が規制された状態を示す拡大平面図である。
【図２２】図２１に引き続きケーブルの巻取のためにケーブルが一旦引き出され、レバーの摺動部が回転部材の第３の突部を越える位置まで移動された状態を示す拡大平面図である。
【図２３】図２２に引き続きケーブルが巻き取られ、巻取リールとレバーが回転されてレバーの摺動部が回転部材の第２の係合面に係合された状態を示す拡大平面図である。
【図２４】図２３に引き続きケーブルが巻き取られ、回転部材の被規制部が規制リブに係合されて回転部材の回転が規制された状態を示す拡大平面図である。
【図２５】図２４に引き続きケーブルが巻き取られ、巻取リールとレバーが回転されレバーの摺動部が回転部材の第３の突部に乗り上げた状態を示す拡大平面図である。
【図２６】図２５に引き続きケーブルが巻き取られ、巻取リールとレバーが回転されレバーの被ストップ部がベース部材の巻取用カム部に摺動されている状態を示す拡大平面図である。
【図２７】図２６に引き続きケーブルが巻き取られ、巻取リールとレバーが回転されている状態を示す拡大平面図である。
【符号の説明】
【０２１７】
１…ケーブル巻取装置、５…カバーケース、１１…規制リブ、１３…制御リブ、２１…巻取リール、２１ａ…回転軸、２３…第１の巻取筒部、２４…第２の巻取筒部、２５…ベース部材、２８ｂ…巻取用カム部、２８ｃ…引出用カム部、２８ｄ…回転規制部、２９…レバー、２９ａ…被ストップ部、２９ｂ…摺動部、３０…付勢バネ、３３…回転部材、３３ａ…支点軸、３５…変位部、３５ａ…制御部、３６ａ…巻取側回転許容部、３６ｂ…引出側回転許容部、３７ｂ…被規制部、３８…作用面、３８ａ…第１の係合部、１００…ケーブル
【図１】
2013100177.tif 000003
【図２】
2013100177.tif 000004
【図３】
2013100177.tif 000005
【図４】
2013100177.tif 000006
【図５】
2013100177.tif 000007
【図６】
2013100177.tif 000008
【図７】
2013100177.tif 000009
【図８】
2013100177.tif 000010
【図９】
2013100177.tif 000011
【図１０】
2013100177.tif 000012
【図１１】
2013100177.tif 000013
【図１２】
2013100177.tif 000014
【図１３】
2013100177.tif 000015
【図１４】
2013100177.tif 000016
【図１５】
2013100177.tif 000017
【図１６】
2013100177.tif 000018
【図１７】
2013100177.tif 000019
【図１８】
2013100177.tif 000020
【図１９】
2013100177.tif 000021
【図２０】
2013100177.tif 000022
【図２１】
2013100177.tif 000023
【図２２】
2013100177.tif 000024
【図２３】
2013100177.tif 000025
【図２４】
2013100177.tif 000026
【図２５】
2013100177.tif 000027
【図２６】
2013100177.tif 000028
【図２７】
2013100177.tif 000029